(57)【要約】【課題】視聴者が視聴した放送番組から視聴者の嗜好を正しく反映した嗜好情報を生成する嗜好情報生成装置を提供する。【解決手段】嗜好情報生成装置５０は、視聴者によって選択された選択放送番組と、同一の放送時間帯において選択されなかった非選択放送番組とを特定する番組選択情報を生成する番組選択情報生成手段５１ａと、番組選択情報に基づいて、電子番組ガイドから、選択放送番組および選択放送番組の関連情報を抽出する関連情報抽出手段５１ｂと、選択放送番組および非選択放送番組の関連情報間で視聴者の嗜好関係を示す嗜好関係情報を生成する嗜好関係情報生成手段５１ｃと、嗜好関係情報に基づいて、関連情報ごとの嗜好の度合いを示す優先度を算出して嗜好情報とする優先度算出手段５３ｂと、を備えることを特徴とする。【選択図】図１
2009065597.tif 000002
【特許請求の範囲】
【請求項１】
放送番組と当該放送番組の関連情報を記述した電子番組ガイドとを受信して視聴者に提示するデジタル放送受信装置に備えられ、前記視聴者が選択した放送番組に基づいて、当該視聴者の嗜好を示す嗜好情報を生成する嗜好情報生成装置であって、
前記電子番組ガイドに基づいて、前記視聴者によって選択された放送番組である選択放送番組と、当該放送番組と同一の放送時間帯において選択されなかった放送番組である非選択放送番組とを特定する番組選択情報を生成する番組選択情報生成手段と、
この番組選択情報生成手段で生成された番組選択情報に基づいて、前記電子番組ガイドから、前記選択放送番組の関連情報である選択関連情報と、前記非選択放送番組の関連情報である非選択関連情報とを抽出する関連情報抽出手段と、
この関連情報抽出手段で抽出された選択関連情報と非選択関連情報とについて、前記選択関連情報が前記非選択関連情報よりも前記視聴者の嗜好が強い嗜好関係を示す嗜好関係情報を生成する嗜好関係情報生成手段と、
この嗜好関係情報生成手段で生成された嗜好関係情報に基づいて、前記関連情報ごとの嗜好の度合いを示す優先度を算出して前記嗜好情報とする優先度算出手段と、
を備えることを特徴とする嗜好情報生成装置。
【請求項２】
前記番組選択情報生成手段は、
前記電子番組ガイドにより生成され画面上に提示された番組表に基づいて前記放送番組が選択された場合、その選択された放送番組と同一の放送時間帯のすべての放送番組を前記非選択放送番組として特定することを特徴とする請求項１に記載の嗜好情報生成装置。
【請求項３】
前記番組選択情報生成手段は、
チャンネルを切り替えることで前記放送番組が選択された場合、所定時間未満に切り替えられたチャンネルに対応する放送番組を前記非選択放送番組として特定することを特徴とする請求項１または請求項２に記載の嗜好情報生成装置。
【請求項４】
前記優先度を算出するための対象となる前記関連情報の条件を設定する条件設定手段をさらに備え、
前記優先度算出手段が、前記条件設定手段で設定された条件に対応する前記関連情報に基づいて、前記優先度を算出することを特徴とする請求項１から請求項３のいずれか一項に記載の嗜好情報生成装置。
【請求項５】
前記関連情報には、前記放送番組の放送時間を含み、
前記条件設定手段は、前記優先度を算出するための対象となる期間を示す時間情報を、前記条件として設定することを特徴とする請求項４に記載の嗜好情報生成装置。
【請求項６】
前記関連情報には、前記放送番組に関連する複数の種類の種別を含み、
前記条件設定手段は、前記優先度を算出するための対象となる関連情報の種別を、前記条件として設定することを特徴とする請求項４または請求項５に記載の嗜好情報生成装置。
【請求項７】
放送番組と当該放送番組の関連情報を記述した電子番組ガイドとを受信して視聴者に提示するデジタル放送受信装置において、前記視聴者が選択した放送番組に基づいて、当該視聴者の嗜好を示す嗜好情報を生成するために、コンピュータを、
前記電子番組ガイドに基づいて、前記視聴者によって選択された放送番組である選択放送番組と、当該放送番組と同一の放送時間帯において選択されなかった放送番組である非選択放送番組とを特定する番組選択情報を生成する番組選択情報生成手段、
この番組選択情報生成手段で生成された番組選択情報に基づいて、前記電子番組ガイドから、前記選択放送番組の関連情報である選択関連情報と、前記非選択放送番組の関連情報である非選択関連情報とを抽出する関連情報抽出手段、
この関連情報抽出手段で抽出された選択関連情報と非選択関連情報とについて、前記選択関連情報が前記非選択関連情報よりも前記視聴者の嗜好が強い嗜好関係を示す嗜好関係情報を生成する嗜好関係情報生成手段、
この嗜好関係情報生成手段で生成された嗜好関係情報に基づいて、前記関連情報ごとの嗜好の度合いを示す優先度を算出して前記嗜好情報とする優先度算出手段、
として機能させることを特徴とする嗜好情報生成プログラム。
【発明の詳細な説明】
【技術分野】
【０００１】
本発明は、放送番組を視聴する視聴者の好みを嗜好情報として生成する嗜好情報生成装置および嗜好情報生成プログラムに関する。
【背景技術】
【０００２】
近年、視聴者が視聴した放送番組の視聴履歴に基づいて、視聴者が好む放送番組を提示、案内する装置が種々提案されている（特許文献１，２参照）。
例えば、特許文献１に記載された視聴管理装置は、放送局から定期的に送信されるタイトル（番組名）、チャンネル、ジャンル、放送時間等の番組管理情報から、視聴者が視聴した放送番組の番組管理情報を視聴履歴として記憶し、その視聴履歴（例えば、放送番組の視聴回数や視聴時間）に基づいて、視聴者に提示する放送番組の優先順位を求めている。また、例えば、特許文献２に記載されたデジタル放送受信装置は、視聴履歴のほか、記録再生手段に記録済みの放送番組、現在記録中の放送番組、記録再生手段から再生のために頭出しを行った放送番組を、視聴者が視聴したい放送番組として推定している。
【特許文献１】特開２０００−２８７１８９号公報（段落００４４〜００４６、図６）
【特許文献２】特許第３８６９８８２０号公報（段落００２４〜００３１、図２）
【発明の開示】
【発明が解決しようとする課題】
【０００３】
前記した従来の技術は、視聴者が視聴した放送番組の視聴履歴を、視聴者の嗜好を示す嗜好情報（プロファイル）として利用することで、視聴者が好む放送番組を判定（推定）している。しかし、視聴者が選択する放送番組は、放送局側の番組編成によって大きく左右される場合がある。例えば、大きな事件が発生した場合、どの放送局もその事件に関連する放送番組（例えば、ジャンルが「ニュース」）を放送する。この場合、視聴者が好まないジャンルの放送番組であっても、視聴者が選択した放送番組は、視聴履歴に累計されることになる。そのため、視聴者が選択した放送番組の視聴履歴からでは、必ずしも視聴者の好みを反映した嗜好情報を生成することができないという問題がある。
【０００４】
また、従来の技術は、視聴者が視聴した放送番組の視聴回数や視聴時間に基づいて、視聴者に提示する放送番組の優先順位を求めているため、例えば、視聴者が毎週視聴している放送番組と、月に一度視聴する放送番組とでは、前者の方が優先順位が高くなってしまう。しかし、視聴者の嗜好は、必ずしも視聴回数や視聴時間に比例するものではない。例えば、毎週放送される放送番組と月に一度放送される放送番組とが同一時間帯に放送され、視聴者が、その同一時間帯においては、月に一度放送される放送番組の方を好んで視聴する場合、従来の技術では、視聴者の嗜好にあった優先順位を正確に求めることができないという問題がある。
【０００５】
本発明は、以上のような課題を解決するためになされたものであり、視聴者が視聴した放送番組から視聴者の嗜好を正しく反映した優先順位を求めることが可能な嗜好情報を生成する嗜好情報生成装置および嗜好情報生成プログラムを提供することを目的とする。
【課題を解決するための手段】
【０００６】
本発明は、前記目的を達成するために創案されたものであり、まず、請求項１に記載の嗜好情報生成装置は、放送番組と当該放送番組の関連情報を記述した電子番組ガイドとを受信して視聴者に提示するデジタル放送受信装置に備えられ、前記視聴者が選択した放送番組に基づいて、当該視聴者の嗜好を示す嗜好情報を生成する嗜好情報生成装置であって、番組選択情報生成手段と、関連情報抽出手段と、嗜好関係情報生成手段と、優先度算出手段と、を備える構成とした。
【０００７】
かかる構成において、嗜好情報生成装置は、番組選択情報生成手段によって、電子番組ガイドに基づいて、視聴者によって選択された放送番組である選択放送番組と、当該放送番組と同一の放送時間帯において選択されなかった放送番組である非選択放送番組とを特定する番組選択情報を生成する。なお、電子番組ガイドには、時間帯ごとに、複数の放送番組を特定する情報（チャンネル情報等）が記述されているため、視聴者が選択した放送番組や、視聴者が選択しなかった放送番組を特定することができる。
【０００８】
そして、嗜好情報生成装置は、関連情報抽出手段によって、番組選択情報生成手段で生成された番組選択情報に基づいて、電子番組ガイドから、選択放送番組の関連情報である選択関連情報と、非選択放送番組の関連情報である非選択関連情報とを抽出する。この関連情報は、電子番組ガイドに記述されている放送番組に関連する情報であって、タイトル、ジャンル、出演者等である。なお、この関連情報は、視聴者の嗜好を判定するための基準として用いることができる。
【０００９】
そして、嗜好情報生成装置は、嗜好関係情報生成手段によって、選択関連情報が非選択関連情報よりも視聴者の嗜好が強い嗜好関係を示す嗜好関係情報を生成する。これによって、関連情報同士の嗜好関係が特定されることになる。
そして、嗜好情報生成装置は、優先度算出手段によって、嗜好関係情報に基づいて、関連情報ごとの嗜好の度合いを示す優先度を算出して嗜好情報とする。すなわち、優先度算出手段は、嗜好関係情報から、嗜好の度合いが強い関連情報に対して、より高い優先度を与えることで、関連情報ごとの優先度を算出する。これによって、視聴者が選択した放送番組だけでなく、選択しなかった放送番組をも加味して、優先度を算出することができる。
【００１０】
また、請求項２に記載の嗜好情報生成装置は、請求項１に記載の嗜好情報生成装置において、前記番組選択情報生成手段が、前記電子番組ガイドにより生成され画面上に提示された番組表に基づいて前記放送番組が選択された場合、その選択された放送番組と同一の放送時間帯のすべての放送番組を前記非選択放送番組として特定する構成とした。
【００１１】
かかる構成において、嗜好情報生成装置は、視聴者が番組表によって放送番組を選択した場合、視聴者が選択した放送番組は、同一時間帯の他の放送番組よりも嗜好が高いことを利用し、番組選択情報生成手段が、番組表によって選択されなかった放送番組を、視聴者が選択した放送番組よりも嗜好が低いものとして、積極的に嗜好情報を生成するために用いることとする。
【００１２】
さらに、請求項３に記載の嗜好情報生成装置は、請求項１または請求項２に記載の嗜好情報生成装置において、前記番組選択情報生成手段が、チャンネルを切り替えることで前記放送番組が選択された場合、所定時間未満に切り替えられたチャンネルに対応する放送番組を前記非選択放送番組として特定する構成とした。
【００１３】
かかる構成において、嗜好情報生成装置は、チャンネルの切り替えを所定時間内に行って最終的に放送番組を選択した場合、視聴者が選択した放送番組は、チャンネルの切り替えを行った他の放送番組よりも嗜好が高いことを利用し、番組選択情報生成手段が、チャンネルの切り替えを所定時間内に行った放送番組を、視聴者が選択した放送番組よりも嗜好が低いものとして、積極的に嗜好情報を生成するために用いることとする。
【００１４】
また、請求項４に記載の嗜好情報生成装置は、請求項１から請求項３のいずれか一項に記載の嗜好情報生成装置において、条件設定手段をさらに備える構成とした。
【００１５】
かかる構成において、嗜好情報生成装置は、条件設定手段によって、優先度を算出するための対象となる関連情報の条件を設定する。そして、嗜好情報生成装置は、優先度算出手段によって、条件設定手段で設定された条件に対応する関連情報に基づいて、優先度を算出する。
【００１６】
さらに、請求項５に記載の嗜好情報生成装置は、請求項４に記載の嗜好情報生成装置において、前記関連情報には、前記放送番組の放送時間を含み、前記条件設定手段は、前記優先度を算出するための対象となる期間を示す時間情報を、前記条件として設定する構成とした。
【００１７】
かかる構成において、嗜好情報生成装置は、視聴者が設定した時間情報に対応して記憶されている嗜好関係情報のみに基づいて嗜好情報を生成する。これによって、嗜好情報生成装置は、例えば、直近に視聴した視聴履歴の情報に基づいて、嗜好情報を生成することが可能になる。
【００１８】
また、請求項６に記載の嗜好情報生成装置は、請求項４または請求項５に記載の嗜好情報生成装置において、前記関連情報には、前記放送番組に関連する複数の種類の種別を含み、前記条件設定手段は、前記優先度を算出するための対象となる関連情報の種別を、前記条件として設定する構成とした。
【００１９】
かかる構成において、嗜好情報生成装置は、視聴者が設定した関連情報の種別に特化して嗜好情報を生成する。これによって、嗜好情報生成装置は、例えば、ジャンル、出演者等の種別ごとに嗜好情報を生成することが可能になる。
【００２０】
さらに、請求項７に記載の嗜好情報生成プログラムは、放送番組と当該放送番組の関連情報を記述した電子番組ガイドとを受信して視聴者に提示するデジタル放送受信装置において、前記視聴者が選択した放送番組に基づいて、当該視聴者の嗜好を示す嗜好情報を生成するために、コンピュータを、番組選択情報生成手段、関連情報抽出手段、嗜好関係情報生成手段、優先度算出手段、として機能させる構成とした。
【００２１】
かかる構成において、嗜好情報生成プログラムは、番組選択情報生成手段によって、電子番組ガイドに基づいて、視聴者によって選択された放送番組である選択放送番組と、当該放送番組と同一の放送時間帯において選択されなかった放送番組である非選択放送番組とを特定する番組選択情報を生成する。
【００２２】
そして、嗜好情報生成プログラムは、関連情報抽出手段によって、番組選択情報生成手段で生成された番組選択情報に基づいて、電子番組ガイドから、選択放送番組の関連情報である選択関連情報と、非選択放送番組の関連情報である非選択関連情報とを抽出する。
そして、嗜好情報生成プログラムは、嗜好関係情報生成手段によって、選択関連情報が非選択関連情報よりも視聴者の嗜好が強い嗜好関係を示す嗜好関係情報を生成する。
【００２３】
そして、嗜好情報生成プログラムは、優先度算出手段によって、嗜好関係情報に基づいて、関連情報ごとの嗜好の度合いを示す優先度を算出して嗜好情報とする。すなわち、優先度算出手段は、嗜好関係情報から、嗜好の度合いが強い関連情報に対して、より高い優先度を与えることで、関連情報ごとの優先度を算出する。
【発明の効果】
【００２４】
請求項１、請求項７に記載の発明によれば、嗜好情報生成装置（嗜好情報生成プログラム）は、視聴者が選択した放送番組だけでなく、視聴者がどの放送番組を選択しなかったかという情報を利用することで、放送番組間の嗜好関係を特定することができ、視聴者の好みを正しく反映した嗜好情報を生成することができる。
【００２５】
請求項２に記載の発明によれば、嗜好情報生成装置は、電子番組ガイドで選択された放送番組と同一の時間帯の放送番組を、視聴者が選択しなかった放送番組として特定することで、放送番組間の嗜好関係を特定することができ、視聴者の好みを正しく反映した嗜好情報を生成することができる。
【００２６】
請求項３に記載の発明によれば、嗜好情報生成装置は、所定時間内にチャンネル切り替えが行われた放送番組を、視聴者が選択しなかった放送番組として特定することで、放送番組間の嗜好関係を特定することができ、視聴者の好みを正しく反映した嗜好情報を生成することができる。
【００２７】
請求項４に記載の発明によれば、嗜好情報生成装置は、関連情報の条件を視聴者が設定することができ、視聴者が関連情報を絞り込んで嗜好情報を生成することができる。これによって、嗜好情報生成装置は、視聴者の要求に応じた嗜好情報を生成することができ、視聴者の嗜好に合った放送番組を提示することが可能になる。
【００２８】
請求項５に記載の発明によれば、嗜好情報生成装置は、優先度を算出するための対象となる期間を示す時間情報を設定することができ、例えば、直近の嗜好関係情報から嗜好情報を生成することができる。これによって、視聴者の嗜好が変化した場合であっても、過去の嗜好関係情報を考慮しないようにすることで、視聴者の好みを正しく反映した嗜好情報を生成することができる。また、逆に、過去のある特定期間の嗜好情報（例えば、小学生の頃好きだった番組）を生成することも可能である。
【００２９】
請求項６に記載の発明によれば、嗜好情報生成装置は、関連情報の種別、例えば、ジャンル、出演者等を、嗜好情報を生成するための条件として設定することができる。これによって、嗜好情報生成装置は、視聴者の要求に応じた嗜好情報を生成することができ、視聴者の嗜好に合った放送番組を提示することが可能になる。
【発明を実施するための最良の形態】
【００３０】
以下、本発明の実施の形態について図面を参照して説明する。
［デジタル放送受信装置の構成］
まず、図１を参照して、本発明に係る嗜好情報生成装置を備えたデジタル放送受信装置の構成について説明する。図１は、本発明に係る嗜好情報生成装置を備えたデジタル放送受信装置の構成を示すブロック図である。
【００３１】
図１に示すように、デジタル放送受信装置１は、受信手段１０と、番組情報記憶手段２０と、再生手段３０と、番組選択手段４０と、嗜好情報生成手段（嗜好情報生成装置）５０とを備えている。なお、デジタル放送受信装置１には、外部に液晶ディスプレイ、スピーカ等の表示装置２が接続され、リモコン装置３によって、チャンネル切り替え等の操作が行われるものとする。また、ここでは、図示を省略した視聴者設定手段等によって、視聴者は予め特定されているものとする。
【００３２】
受信手段１０は、放送波を介して配信される放送番組や、電子番組ガイド（ＥＰＧ：Electric Program Guide）を受信するものである。この受信手段１０は、放送波から、番組選択手段４０で選択された放送番組を抽出し、再生手段３０に出力する。さらに、受信手段１０は、放送波に多重化されて配信される電子番組ガイドを分離抽出し、番組情報記憶手段２０に書き込む。
【００３３】
この電子番組ガイドは、放送番組の関連情報を記述した情報であって、例えば、放送番組のタイトル、チャンネル、放送日・放送時間、ジャンル、番組内容説明、出演者、番組属性（音声モード、解説放送、字幕放送、データ放送、双方向番組等）等が記述されている。
なお、ここでは、受信手段１０は、放送波を介して電子番組ガイドを受信することとしたが、ネットワークを介して電子番組ガイドを受信することとしてもよい。
【００３４】
番組情報記憶手段２０は、受信手段１０で受信された電子番組ガイドを記憶するものであって、ハードディスク等の一般的な記憶装置である。この番組情報記憶手段２０に記憶された電子番組ガイドは、後記する番組選択手段４０において、放送番組を選択する際の番組表を表示する際、あるいは、嗜好情報生成手段５０において、放送番組の関連情報（タイトル等）ごとの嗜好関係を求める際に参照される。
【００３５】
再生手段３０は、受信手段１０から出力される放送番組の符号化された映像および音声を復号し、映像信号および音声信号として再生するものである。この再生手段３０によって再生された映像信号および音声信号は、表示装置２に出力される。
【００３６】
番組選択手段４０は、リモコン装置３から出力される赤外線等のボタン信号に基づいて、視聴者が視聴する放送番組（編成チャンネル）を選択するものである。ここでは、番組選択手段４０は、チャンネル切替選択手段４１と、番組表選択手段４２とを備えている。
【００３７】
チャンネル切替選択手段４１は、リモコン装置３から出力されるボタン信号に基づいて、チャンネルを切り替えることで、放送番組を選択するものである。
例えば、チャンネル切替選択手段４１は、視聴者がリモコン装置３のワンタッチボタンを押下することでリモコン装置３から出力されるボタン信号を受信し、当該ボタン信号に予め割り当てられたチャンネルに切り替える。あるいは、チャンネル切替選択手段４１は、視聴者がリモコン装置３の複数の数字ボタンを続けて押下することでリモコン装置３から出力されるボタン信号を受信し、当該ボタン信号の信号列に対応するチャンネル（例えば、「１」、「０」、「３」が押下されたときは、１０３チャンネル）に切り替える。
なお、チャンネル切替選択手段４１は、選択された放送番組を特定する情報（例えば、チャンネル、放送日・放送時間等）を受信手段１０および嗜好情報生成手段５０に出力する。
【００３８】
番組表選択手段４２は、番組表を表示装置２に出力し、リモコン装置３から出力される上下左右ボタンや決定ボタン等のボタン信号に基づいて、当該番組表内で放送番組を選択するものである。
【００３９】
この番組表選択手段４２は、番組情報記憶手段２０に記憶されている電子番組ガイドを参照して、放送番組ごとに、タイトル、チャンネル、放送日・放送時間等を表形式に表した番組表を生成し、表示装置２に出力する。そして、番組表選択手段４２は、視聴者がリモコン装置３の上下左右ボタンを押下することでリモコン装置３から出力されるボタン信号を受信し、指定された番組表内の放送番組を強調表示（例えば、カーソル表示）する。そして、番組表選択手段４２は、視聴者がリモコン装置３の決定ボタンを押下することでリモコン装置３から出力されるボタン信号を受信し、当該放送番組を選択する。
なお、番組表選択手段４２は、選択された放送番組を特定する情報（例えば、チャンネル、放送日・放送時間等）を受信手段１０および嗜好情報生成手段５０に出力する。
【００４０】
嗜好情報生成手段（嗜好情報生成装置）５０は、視聴者が選択した放送番組に基づいて、視聴者の嗜好を示す嗜好情報を生成するものである。なお、ここでは、嗜好情報生成手段５０は、生成した嗜好情報に基づいて、視聴者の嗜好性の高い放送番組を提示することとする。また、ここでは、嗜好情報生成手段５０は、嗜好関係特定手段５１と、嗜好関係情報記憶手段５２と、嗜好情報提示手段５３とを備えている。
【００４１】
嗜好関係特定手段５１は、番組選択手段４０で選択された放送番組と、選択されなかった放送番組との嗜好関係を特定するものである。ここでは、嗜好関係特定手段５１は、番組選択情報生成手段５１ａと、関連情報抽出手段５１ｂと、嗜好関係情報生成手段５１ｃとを備えている。
【００４２】
番組選択情報生成手段５１ａは、電子番組ガイドに基づいて、視聴者によって選択された放送番組である選択放送番組と、当該放送番組と同一の放送時間帯において選択されなかった放送番組である非選択放送番組とを特定する番組選択情報を生成するものである。
なお、番組選択情報は、選択放送番組および非選択放送番組を特定する情報であれば、その内容は問わないが、例えば、チャンネル、放送日・放送時間等である。
【００４３】
一般に、視聴者が頻繁にチャンネルを切り替えている状態（ザッピング）から、一定期間以上チャンネルを切り替えない状態に移行した場合、頻繁にチャンネルを切り替えて視聴した放送番組よりも、その直後に視聴した放送番組の方が、視聴者の嗜好性が高いといえる。
そこで、この番組選択情報生成手段５１ａは、番組選択手段４０のチャンネル切替選択手段４１から、放送番組を特定する情報（チャンネル等）が通知された場合、すなわち、視聴者がチャンネルを切り替えることで放送番組を選択した場合、所定時間未満に切り替えられたチャンネルに対応する放送番組を非選択放送番組として特定し、その直後の放送番組を視聴者が選択した放送番組（選択放送番組）として特定する。
【００４４】
ここで、図２を参照して、ザッピングにより選択放送番組と非選択放送番組とを特定する手法について説明する。図２は、ザッピング（チャンネル切替）により、選択放送番組と非選択放送番組とを特定する手法を説明するための説明図である。
この図２では、横軸に時間軸をとり、視聴者がＣ１〜Ｃ５の時点において、チャンネルを切り替えた状態を示している。また、Ｔ１は、チャンネルを切り替えてから所定時間の幅（例えば、５分）を示している。また、ＰＡ、ＰＢ、ＰＣは、放送番組（例えば、番組名）を示している。
【００４５】
この図２において、視聴者は、Ｃ１時点でチャンネルを切り替えることで放送番組ＰＡを視聴し、Ｃ２時点でチャンネルを切り替えることで放送番組ＰＢを視聴している。しかし、視聴者は、所定時間Ｔ１内にザッピングを行っていない。この場合、視聴している放送番組と他の放送番組とで、視聴者の好みを比較することはできないため、選択放送番組と非選択放送番組との特定を行わないこととする。
【００４６】
これに対し、Ｃ３〜Ｃ５時点において、視聴者は、所定時間Ｔ１内にザッピングを行っている。この場合、Ｃ３時点で視聴者が視聴した放送番組ＰＣ、Ｃ４時点で視聴者が視聴した放送番組ＰＡよりも、Ｃ５時点で視聴者が視聴した放送番組ＰＢの方が、より視聴者の嗜好性が高いといえる。
そこで、この場合、選択放送番組をＰＢ、非選択放送番組をＰＡ、ＰＣとして特定することとする。
図１に戻って、デジタル放送受信装置１の構成について説明を続ける。
【００４７】
番組選択情報生成手段５１ａは、さらに、番組選択手段４０の番組表選択手段４２から、放送番組を特定する情報（チャンネル等）が通知された場合、すなわち、視聴者が番組表によって放送番組を選択した場合、選択された放送番組と同一の放送時間帯のすべての放送番組を非選択放送番組として特定する。
【００４８】
ここで、図３を参照して、番組表により選択放送番組と非選択放送番組とを特定する手法について説明する。図３は、視聴者が選択した放送番組の同一時間帯における放送番組の電子番組ガイドの一例を示す図である。なお、図３において、（ａ）は２００７年４月２８日、（ｂ）は２００７年４月３０日、（ｃ）は２００７年５月２日、（ｄ）は２００７年５月９日に視聴者が視聴した時間帯の放送番組の関連情報を示しており、上段は「タイトル」、中段は「ジャンル」、下段は「出演者」をそれぞれ示している。また、図中、太線で囲まれた放送番組は、視聴者が視聴した放送番組を示している。
【００４９】
図３（ａ）のように、視聴者が、番組表により「Ｊリーグ中継」を選択した場合、「Ｊリーグ中継」が選択放送番組として特定され、同一時間帯の放送番組、ここでは、「ニュースの杜」、「あの街この街」が非選択放送番組として特定されることになる。
同様に、図３（ｂ）〜（ｄ）において、「Ｊリーグハイライト」、「ＮＨＫ杯」、「今時の人」が選択放送番組として特定され、他の同一時間帯の放送番組が非選択放送番組として特定されることになる。
図１に戻って、デジタル放送受信装置１の構成について説明を続ける。
【００５０】
関連情報抽出手段５１ｂは、番組選択情報生成手段５１ａで生成された番組選択情報に基づいて、電子番組ガイドから、選択放送番組の関連情報である選択関連情報と、非選択放送番組の関連情報である非選択関連情報とを抽出するものである。
【００５１】
ここでは、関連情報抽出手段５１ｂは、番組情報記憶手段２０に記憶されている電子番組ガイドを参照し、タイトル、チャンネル、放送日・放送時間、ジャンル、番組内容説明、出演者、番組属性（音声モード、解説放送、字幕放送、データ放送、双方向番組等）等を、選択放送番組の関連情報（選択関連情報）および非選択放送番組の関連情報（非選択関連情報）として抽出する。
なお、関連情報抽出手段５１ｂは、抽出した選択関連情報および非選択関連情報を、嗜好関係情報生成手段５１ｃに出力する。
【００５２】
嗜好関係情報生成手段５１ｃは、関連情報抽出手段５１ｂで抽出された選択関連情報と非選択関連情報とについて、選択関連情報が非選択関連情報よりも視聴者の嗜好が強い嗜好関係を示す嗜好関係情報を生成するものである。この嗜好関係情報生成手段５１ｃで生成された嗜好関係情報は、嗜好関係情報記憶手段５２に記憶される。
なお、ここでは、嗜好関係情報生成手段５１ｃは、放送番組の関連情報（タイトル等）ごとに、嗜好関係情報を生成することとする。
【００５３】
ここで、図４を参照して、嗜好関係情報生成手段５１ｃが生成する嗜好関係情報について具体的に説明する。図４は、嗜好関係情報の一例を示す図である。なお、図４に示した嗜好関係情報は、一例として、図３で説明した選択放送番組から抽出された選択関連情報と、非選択放送番組から抽出された非選択関連情報とに基づいて生成されたものである。
なお、図４において、（ａ）はタイトルに関して生成された嗜好関係情報、（ｂ）はジャンルに関して生成された嗜好関係情報、（ｃ）は出演者に関して生成された嗜好関係情報をそれぞれ示している。
【００５４】
例えば、図４（ａ）において、「ニュースの杜」や「あの街この街」よりも「Ｊリーグ中継」の方が、視聴者の嗜好が強いことを示している。なお、ここでは、嗜好関係情報を嗜好の強さを視覚的に示すため不等号「＞」で示しているが、この嗜好関係情報は、例えば、二次元配列Ｘ（Ａ，Ｂ）で表し、ＡがＢよりも嗜好が強いこととした配列情報とする。
図１に戻って、デジタル放送受信装置１の構成について説明を続ける。
【００５５】
嗜好関係情報記憶手段５２は、嗜好関係情報生成手段５１ｃで生成された嗜好関係情報を記憶するものであって、ハードディスク等の一般的な記憶装置である。この嗜好関係情報記憶手段５２に記憶された嗜好関係情報は、後記する嗜好情報提示手段５３において、嗜好情報を視聴者に提示する際に参照される。
なお、当該デジタル放送受信装置１の視聴者が、図示を省略した視聴者設定手段等によって変更された場合、嗜好関係情報記憶手段５２に記憶される嗜好関係情報は、視聴者ごとに記憶されることになる。
【００５６】
嗜好情報提示手段５３は、視聴者からの問合せに応じて、嗜好関係情報記憶手段５２に記憶されている嗜好関係情報に基づいて、嗜好情報を視覚的に視聴者に提示するものである。ここでは、嗜好情報提示手段５３は、条件設定手段５３ａと、優先度算出手段５３ｂと、嗜好番組提示手段５３ｃとを備えている。
【００５７】
条件設定手段５３ａは、後記する優先度算出手段５３ｂにおいて、ジャンル等の関連情報の優先度を算出するための条件を設定するものである。この条件設定手段５３ａは、例えば、表示装置２の表示画面に対象期間や対象種別を入力するための入力画面を表示し、視聴者からリモコン装置３を介して、条件を入力する。なお、条件設定手段５３ａで設定された条件は、優先度算出手段５３ｂに出力される。
【００５８】
ここで対象期間とは、視聴者が放送番組を視聴した期間を示すものであって、優先度を算出する基となる嗜好関係情報を記憶した期間に相当する。例えば、嗜好関係情報記憶手段５２に記憶された嗜好関係情報をすべて参照する場合は「全期間」、最近の一週間の視聴者の嗜好を基準にする場合は「一週間」等を設定する。あるいは、「月（４月等）」を設定したり、「何月何日〜何月何日」等の区間を設定したり等、対象期間については特にその形式を問わない。
【００５９】
また、対象種別とは、優先度を算出する基となるジャンル等の放送番組の関連情報の種別を示すものである。例えば、視聴者が、ジャンルに基づいて優先度を算出させたい場合、「ジャンル」を設定する。もちろん、この対象種別は１つに限定されず、複数の種別を設定することとしてもよい。
また、この条件設定手段５３ａは、予め初期設定時に設定しておくこととしてもよいし、視聴者が、嗜好情報を参照する際に逐次設定することとしてもよい。
また、ここでは、条件として、対象期間や対象種別を一例として説明したが、この条件は、関連情報の番組内容説明に含まれるキーワード、関連情報間の優劣を示す情報であっても構わない。
【００６０】
優先度算出手段５３ｂは、嗜好関係情報記憶手段５２に記憶された嗜好関係情報から、関連情報ごとの嗜好の度合いを示す優先度を算出するものである。なお、優先度は、視聴者が好むジャンル等の放送番組の関連情報を順位付けした情報であって、視聴者の嗜好の度合いを示す嗜好情報となる。ここでは、優先度算出手段５３ｂは、条件設定手段５３ａで設定された条件に合致する嗜好関係情報から優先度を算出することとする。
【００６１】
ここで、優先度算出手段５３ｂが行う優先度の算出例について、図４で説明した嗜好関係情報を参照して、具体的に説明する。
例えば、条件設定手段５３ａで、対象種別として、「ジャンル」を指定された場合（対象期間の指定はないものとする）、優先度算出手段５３ｂは、図４（ｂ）の嗜好関係情報に基づいて、ジャンルだけに注目し、最も優先度の高いジャンルを「スポーツ（フィギュア）」、２番目に優先度の高いジャンルを「スポーツ（サッカー）」または「ドキュメンタリ」、それ以下の優先度を他のジャンルとする。
【００６２】
この場合、優先度算出手段５３ｂは、嗜好関係情報に基づいて、関連情報（ここではジャンル）ごとに、嗜好関係をグループ分けする。例えば、「スポーツ（サッカー）」より視聴者の嗜好が低いジャンルを低嗜好グループ｛「ニュース」、「情報番組」、「エンターテンメント」、「料理」｝としてグループ分けする。また、「スポーツ（フィギュア）」より視聴者の嗜好が低いジャンルを低嗜好グループ｛「スポーツ（サッカー）」、「ドキュメンタリ」｝としてグループ分けする。同様に、「情報番組」より視聴者の嗜好が低いジャンルを低嗜好グループ｛「ニュース」｝とする。
【００６３】
そして、優先度算出手段５３ｂは、あるジャンルが、どの低嗜好グループに含まれているか否かを判定することで、ジャンルごとの優先度を算出する。なお、優先度算出手段５３ｂは、このグループ分けに伴う優先度算出において、矛盾する嗜好関係が存在した場合、多数決あるいはより多く視聴した度数によって、優先度を決定する。あるいは、矛盾が生じているジャンルには、同一の優先度を与えることとしてもよい。
【００６４】
また、例えば、条件設定手段５３ａで、対象期間を「４月」、対象種別を「出演者」と指定された場合、優先度算出手段５３ｂは、図４（ｃ）の４月分の嗜好関係情報に基づいて、｛「Ｍｒ．Ｘ」、「Ｍｒ．Ｙ」、「Ｍｓ．Ｕ」｝＞｛「Ｍｒ．Ａ」｝＞｛「Ｍｒ．Ｃ」、「Ｍｒ．Ｑ」、「Ｍｓ．Ｐ」、「Ｍｓ．Ｈ」｝となる優先度を与える。
この場合、「Ｍｒ．Ｘ」および「Ｍｒ．Ｙ」には同一の優先度（第１優先度）が与えられ、「Ｍｒ．Ｃ」、「Ｍｒ．Ｑ」、「Ｍｓ．Ｐ」および「Ｍｓ．Ｈ」にも第１優先度より低い同一の優先度が与えられるものとする。なお、「Ｍｓ．Ｕ」は、「Ｍｒ．Ｘ」および「Ｍｒ．Ｙ」と、「Ｍｒ．Ａ」との嗜好関係が確立されていない。この場合、例えば、予め高い方の優先度（第１優先度）を与えることとする。
【００６５】
以上、優先度算出手段５３ｂにおける優先度の算出例について説明したが、条件設定手段５３ａによって、キーワードを設定されることで、優先度算出手段５３ｂは、関連情報の番組内容説明から、キーワードを抽出し、そのキーワード間の優先度を求めることとしてもよい。あるいは、条件設定手段５３ａによって、関連情報ごとの優劣を設定されることで、優先度算出手段５３ｂは、同一の優先度となった関連情報については、指定された優劣に基づいて優先度に差を設けることとしてもよい。
図１に戻って、デジタル放送受信装置１の構成について説明を続ける。
【００６６】
嗜好番組提示手段５３ｃは、優先度算出手段５３ｂによって算出された優先度（嗜好情報）に基づいて、視聴者に視聴者が好む放送番組を提示するものである。
例えば、嗜好番組提示手段５３ｃは、番組情報記憶手段２０に記憶されている電子番組ガイドを参照し、視聴者が好む放送番組を優先度順にリスト化した番組選択画面を表示装置２の表示画面に表示する。あるいは、嗜好番組提示手段５３ｃは、視聴者から、視聴者が好む放送番組の録画予約を指示された場合、優先度の最も高い放送番組を録画対象の放送番組として特定することとしてもよい。
【００６７】
例えば、嗜好番組提示手段５３ｃは、図５に示すように、ある期間（図中、「今日のおすすめ番組」、「一週間のおすすめ番組」）を選択させる期間選択画面Ｇ１を表示装置２に表示する。そして、嗜好番組提示手段５３ｃは、その期間内（ここでは「一週間」）で、電子番組ガイドを参照し、視聴者が好む放送番組を優先度順にリスト化した番組選択画面Ｇ２を表示装置２に表示する。
【００６８】
このように、デジタル放送受信装置１を構成することで、デジタル放送受信装置１は、視聴者が選択した放送番組の視聴履歴からだけではなく、視聴者が選択しなかった放送番組から、嗜好情報を生成するため、当該嗜好情報は、視聴者の嗜好を正しく反映したものとなる。
なお、嗜好情報生成装置５０は、一般的なコンピュータを、前記した嗜好情報生成装置５０内の各手段として機能させる嗜好情報生成プログラムによって動作させることができる。
【００６９】
［デジタル放送受信装置の動作］
次に、図６を参照（構成については適宜図１参照）して、本発明に係る嗜好情報生成装置を備えたデジタル放送受信装置の動作について説明する。図６は、本発明に係る嗜好情報生成装置を備えたデジタル放送受信装置の動作を示すフローチャートである。
まず、デジタル放送受信装置１は、受信手段１０によって、電子番組ガイドを受信し（ステップＳ１）、番組情報記憶手段２０に記憶する（ステップＳ２）。
【００７０】
そして、デジタル放送受信装置１は、番組選択手段４０によって、リモコン装置３から出力される赤外線等のボタン信号に基づいて、視聴者が視聴する放送番組を選択する（ステップＳ３）。このとき、デジタル放送受信装置１は、番組選択手段４０のチャンネル切替選択手段４１によって、リモコン装置３から出力されるボタン信号に基づいて、放送番組を選択したり、番組表選択手段４２によって、番組表を表示装置２に出力し、リモコン装置３から出力される上下左右ボタンや決定ボタン等のボタン信号に基づいて、放送番組を選択したりする。
【００７１】
その後、デジタル放送受信装置１は、嗜好情報生成装置５０において、嗜好関係特定手段５１の番組選択情報生成手段５１ａによって、視聴者がチャンネルを切り替えることで放送番組を選択したか、番組表（電子番組ガイド）を利用して放送番組を選択したかを判定する（ステップＳ４）。なお、この判定は、番組選択手段４０から出力される放送番組を特定する情報が、チャンネル切替選択手段４１から出力されたものであるか、番組表選択手段４２から出力されたものであるかに基づいて判定することができる。
【００７２】
そして、視聴者がチャンネルを切り替えることで放送番組を選択した場合（ステップＳ４で「チャンネル切替」）、デジタル放送受信装置１は、番組選択情報生成手段５１ａによって、所定時間未満に切り替えられたチャンネルに対応する放送番組を非選択放送番組として特定し、その直後の放送番組を視聴者が選択した放送番組（選択放送番組）として特定し（ステップＳ５）、ステップＳ７に進む。
【００７３】
一方、視聴者が番組表によって放送番組を選択した場合（ステップＳ４で「番組表」）、デジタル放送受信装置１は、番組選択情報生成手段５１ａによって、選択された放送番組を選択放送番組とし、当該選択放送番組と同一の放送時間帯のすべての放送番組を非選択放送番組として特定する（ステップＳ６）。
【００７４】
その後、デジタル放送受信装置１は、関連情報抽出手段５１ｂによって、電子番組ガイドから、選択放送番組の関連情報である選択関連情報と、非選択放送番組の関連情報である非選択関連情報とを抽出する（ステップＳ７）。
そして、デジタル放送受信装置１は、嗜好関係情報生成手段５１ｃによって、選択関連情報が非選択関連情報よりも視聴者の嗜好が強い嗜好関係を示す嗜好関係情報を生成する（ステップＳ８）。これによって、図４に示したような関連情報（タイトル等）ごとに、嗜好関係を示した嗜好関係情報が生成される。そして、嗜好関係情報生成手段５１ｃは、生成した嗜好関係情報を嗜好関係情報記憶手段５２に記憶する（ステップＳ９）。
ここまでの動作によって、デジタル放送受信装置１は、視聴者の放送番組間の嗜好を示す嗜好関係情報を生成し、記憶する。
【００７５】
その後、デジタル放送受信装置１は、嗜好情報提示手段５３によって、視聴者からの問合せに応じて、嗜好情報を視覚的に提示する。
すなわち、まず、デジタル放送受信装置１は、条件設定手段５３ａによって、関連情報の優先度を算出するための条件（対象期間、対象種別等）を設定する（ステップＳ１０）。
【００７６】
そして、デジタル放送受信装置１は、優先度算出手段５３ｂによって、ステップＳ１０で設定された条件に合致する嗜好関係情報から、関連情報ごとの嗜好の度合いを示す優先度を算出する（ステップＳ１１）。
そして、デジタル放送受信装置１は、嗜好番組提示手段５３ｃによって、電子番組ガイドを参照し、視聴者が好む放送番組を優先度順にリスト化した番組選択画面を表示装置２の表示画面に表示する（ステップＳ１２）。
【００７７】
以上の動作によって、デジタル放送受信装置１は、視聴者が選択した放送番組の視聴履歴からだけではなく、視聴者が選択しなかった放送番組から、嗜好関係情報を生成し、視聴者が好む放送番組を提示することができる。
【図面の簡単な説明】
【００７８】
【図１】本発明に係る嗜好情報生成装置を備えたデジタル放送受信装置の構成を示すブロック図である。
【図２】ザッピング（チャンネル切替）により、選択放送番組と非選択放送番組とを特定する手法を説明するための説明図である。
【図３】視聴者が選択した放送番組の同一時間帯における放送番組の電子番組ガイドの一例を示す図である。
【図４】嗜好関係情報の一例を示す図である。
【図５】視聴者の好み（嗜好情報）に応じた放送番組の表示例を示す図である。
【図６】本発明に係る嗜好情報生成装置を備えたデジタル放送受信装置の動作を示すフローチャートである。
【符号の説明】
【００７９】
１      デジタル放送受信装置
１０    受信装置
２０    番組情報記憶手段
３０    映像再生手段
４０    番組選択手段
４１    チャンネル切替選択手段
４２    番組表選択手段
５０    嗜好情報生成手段（嗜好情報生成装置）
５１    嗜好関係特定手段
５１ａ  番組選択情報生成手段
５１ｂ  関連情報抽出手段
５１ｃ  嗜好関係情報生成手段
５２    嗜好関係情報記憶手段
５３    嗜好情報提示手段
５３ａ  条件設定手段
５３ｂ  優先度算出手段
５３ｃ  嗜好番組提示手段
【図１】
2009065597.tif 000003
【図２】
2009065597.tif 000004
【図３】
2009065597.tif 000005
【図４】
2009065597.tif 000006
【図５】
2009065597.tif 000007
【図６】
2009065597.tif 000008